(57)【要約】【課題】積雪地帯等における使用等に対して、構造に対する大幅な変更や改造を伴うことなく強度の強化を図ることができる太陽電池モジュールを提供する。【解決手段】太陽電池パネル２と、太陽電池パネル２を保持する主保持部、該主保持部の下に連設された主壁部１１、及び、該主壁部１１の内側に張設された主底部片１６を備えた主枠部材１０と、太陽電池パネル２を保持する副保持部、該副保持部の下に連設された副壁部２１、及び、該副壁部２１の内側に張設された副底部片２６を備えた副枠部材２０と、主枠部材１０間に架設された補強枠部材３０と、該補強枠部材３０と交差して副枠部材２０間に架設されると共に、該交差する部分に、補強枠部材３０の底面を下方から跨ぐ凹部が形成された補強枠支持部材４０を備えて、太陽電池モジュール１を構成する。【選択図】図４
2010283397.tif 000002
【特許請求の範囲】
【請求項１】
一対の主辺、及び、該主辺に隣接する一対の副辺を備えた矩形状の太陽電池パネルと、
断面がコ字形で該コ字形の内部に前記太陽電池パネルの主辺を挟持して前記太陽電池パネルを保持する主保持部、該主保持部の下に下方に向かって連設された主壁部、及び、該主壁部の下部の内側に、内方向に向かって張設された主底部片を備えた一対の主枠部材と、
断面がコ字形で該コ字形の内部に前記太陽電池パネルの副辺を挟持して前記太陽電池パネルを保持する副保持部、該副保持部の下に下方に向かって連設された副壁部、及び、該副壁部の下部の内側に、内方向に向かって張設された副底部片を備えた一対の副枠部材と、
前記主枠部材間に架設されると共に、前記太陽電池パネルの裏面を支持する補強枠部材と、で構成される太陽電池モジュールであって、
前記補強枠部材と交差して前記副枠部材間に架設されると共に、前記補強枠部材の底面を下方から当接して前記補強枠部材を支持する補強枠支持部材を備えていることを特徴とする太陽電池モジュール。
【請求項２】
一対の主辺、及び、該主辺に隣接する一対の副辺を備えた矩形状の太陽電池パネルと、
断面がコ字形で該コ字形の内部に前記太陽電池パネルの主辺を挟持して前記太陽電池パネルを保持する主保持部、該主保持部の下に下方に向かって連設された主壁部、及び、該主壁部の下部の内側に、内方向に向かって張設された主底部片を備えた一対の主枠部材と、
断面がコ字形で該コ字形の内部に前記太陽電池パネルの副辺を挟持して前記太陽電池パネルを保持する副保持部、該副保持部の下に下方に向かって連設された副壁部、及び、該副壁部の下部の内側に、内方向に向かって張設された副底部片を備えた一対の副枠部材と、
前記主枠部材間に架設されると共に、前記太陽電池パネルの裏面を支持する補強枠部材と、で構成される太陽電池モジュールに使用される架台であって、
前記補強枠部材と交差して前記副枠部材間に架設されると共に、前記補強枠部材の底面を下方から当接して前記補強枠部材を支持する補強枠支持部材で構成されていることを特徴とする太陽電池モジュール用架台。
【請求項３】
請求項１記載の太陽電池モジュール、又は、請求項２記載の太陽電池モジュール用架台において、
前記補強枠支持部材は、前記補強枠部材との交差する部分に、前記補強枠部材の底面を下方から跨ぐ凹部が形成されており、該凹部の底面が、前記補強枠部材に当接すると共に、該補強枠支持部材の凹部の幅が、該補強枠支持部材と交差する前記補強枠部材の該交差する部分における幅よりも広くなるように形成されている太陽電池モジュール、又は、太陽電池モジュール用架台。
【請求項４】
請求項１〜３のいずれか１項に記載の太陽電池モジュール、又は、太陽電池モジュール用架台において、
前記補強枠支持部材は、該補強枠支持部材の端部の下面が、前記副枠部材の副底部片の上面に当接して前記副枠部材に固定される太陽電池モジュール、又は、太陽電池モジュール用架台。
【請求項５】
請求項１〜４のいずれか１項に記載の太陽電池モジュール、又は、太陽電池モジュール用架台において、
前記補強枠支持部材は、該補強枠支持部材の上面が、前記太陽電池パネルの裏面と対面すると共に、該補強枠支持部材の上面と前記太陽電池パネルの裏面との間に、隙間が存在するように形成されている太陽電池モジュール、又は、太陽電池モジュール用架台。
【請求項６】
請求項１〜５のいずれか１項に記載の太陽電池モジュール、又は、太陽電池モジュール用架台において、
前記補強枠支持部材は、該補強枠支持部材の剛性が、前記補強枠部材の剛性よりも高くなるように形成されている太陽電池モジュール、又は、太陽電池モジュール用架台。
【請求項７】
請求項１〜６のいずれか１項に記載の太陽電池モジュール、又は、太陽電池モジュール用架台において、
前記補強枠部材は、板状の上部片、及び、下部片と、該上部片と該下部片とを連結する壁片とで構成され、前記主枠部材と近接する前記上部片の端部の端縁を含む領域は、該端縁から前記壁片に沿って前記主枠部材の主底部片と重ならないように削除されると共に、
前記主枠部材の主底部片に、該主底部片の先端から外方向に向かってスリットが形成され、
前記補強枠部材の前記壁片が、前記主枠部材の主底部片のスリットに下方から嵌入されて、前記主枠部材と近接する前記下部片の端部の上面が、前記主枠部材の主底部片の下面に当接して、前記補強枠部材が前記主枠部材に固定されると共に、前記補強枠部材の上部片が、前記太陽電池パネルの裏面に接着される太陽電池モジュール、又は、太陽電池モジュール用架台。
【発明の詳細な説明】
【技術分野】
【０００１】
本発明は、枠部材を用いて太陽電池パネルを保持すると共に、この枠部材に結合される補強枠部材を用いた太陽電池モジュールに関する。
【背景技術】
【０００２】
太陽電池モジュールは、一般的に、矩形状の太陽電池パネルと、この太陽電池パネルを保持する枠部材とで構成されている。この太陽電池モジュールに使用される枠部材には、種々の構造のものが知られている。
【０００３】
この枠部材としては、この枠部材の構造として、太陽電池パネルの一辺に沿って垂直に形成された外壁と、この外壁の上部に水平に形成され、断面がコの字形をした保持部を備えた構造の枠部材が知られている（例えば、特許文献１の図２、図５参照）。この枠部材では、断面がコの字形をした保持部の内部に、太陽電池パネルの辺を嵌入することにより、太陽電池パネルを挟持して太陽電池モジュールを形成している。
【０００４】
近年、このような枠部材を用いた太陽電池モジュールは、大型化が進行しており、太陽電池パネルの撓みが大きくなりやすくなっている。このため、枠部材のほか、補強枠部材を用いるものが多く見受けられる（例えば、特許文献１の図１、図４参照）。この補強枠部材は、一般には、太陽電池パネルの相対向する２辺を保持する一対の枠部材の相互間に架設されると共に、太陽電池パネルを、この太陽電池パネルの下面側から保持するように構成されている。
【０００５】
又、最近では、台風等の自然災害による突風等が生じやすい状態が生じている。そのため、このような突風で太陽電池パネルが吹き飛ばされないように、或いは、このような突風等により飛来した石等で、太陽電池パネルのガラスが割れた場合に、この割れたガラスが飛散しないようにするための対策が、必要となっている。
【０００６】
そこで、太陽電池パネルをこの太陽電池パネルの下面側から保持する上記の補強枠部材に、太陽電池パネルの下面に接着剤で接着される接着面を備えて、この接着面を太陽電池パネルの下面に接着することにより、太陽電池パネルを補強枠部材に固定する太陽電池モジュールが採用されている（例えば、特許文献１の図２、図５参照）。
【特許文献１】特開平９−１４８６１２号公報
【発明の概要】
【発明が解決しようとする課題】
【０００７】
ところで、上記のような太陽電池モジュールは、さまざまな環境の下で使用され、このような使用環境の中には、積雪地帯における使用環境も含まれる。上述したような補強枠部材を用いた大型化した太陽電池モジュールは、このような積雪地帯以外の使用環境の下での使用に対しては、十分な強度を備えている。しかし、積雪地帯における使用環境の下では、十分とはいえない場合も存在する。
【０００８】
そこで、従来では、このような積雪地帯等における使用環境が厳しい下での使用に対しても、十分な強度を備えた構造の太陽電池モジュールが、製作されている。
【０００９】
しかし、このような太陽電池モジュールは、専用の構造を備えた太陽電池モジュールであるために、通常の太陽電池モジュールと比較するとコスト増とならざるを得ない。
【００１０】
そのため、積雪地帯等における厳しい使用環境に向けて、上記の厳しい使用環境以外の使用環境の下での使用に対しては十分な強度を備えている上述したような補強枠部材を用いた太陽電池モジュールを、この太陽電池モジュールの構造に対する大幅な変更や改造を伴うことなく用いて、制作や現場における施工が容易で、制作期間、或いは、施工期間の増加やコスト増加等を抑制することが可能な太陽電池モジュールが要望されていた。
【００１１】
そこで、この発明は、このような要望に対処するためになされたものであって、積雪地帯等における使用に対して、補強枠部材を備えた太陽電池モジュールを、その構造に対する大幅な変更や改造を伴うことなく用いてその強度の強化を図ることができる太陽電池モジュール、或いは、太陽電池モジュール用架台を提供しようとするものである。また、制作や現場における施工が容易で、制作期間、或いは、施工期間の増加やコスト増加等を抑制することが可能な太陽電池モジュール、或いは、太陽電池モジュール用架台を提供しようとするものである。
【課題を解決するための手段】
【００１２】
本発明の太陽電池モジュールは、一対の主辺、及び、該主辺に隣接する一対の副辺を備えた矩形状の太陽電池パネル、一対の主枠部材、一対の副枠部材、及び、補強枠部材で、構成される太陽電池モジュールである。
【００１３】
この内、主枠部材は、断面がコ字形で該コ字形の内部に太陽電池パネルの主辺を挟持して太陽電池パネルを保持する主保持部、該主保持部の下に下方に向かって連設された主壁部、及び、該主壁部の下部の内側に、内方向に向かって張設された主底部片を備えて構成されている。
【００１４】
副枠部材は、断面がコ字形で該コ字形の内部に太陽電池パネルの副辺を挟持して太陽電池パネルを保持する副保持部、該副保持部の下に下方に向かって連設された副壁部、及び、該副壁部の下部の内側に、内方向に向かって張設された副底部片を備えて構成されている。
【００１５】
補強枠部材は、主枠部材間に架設されると共に、太陽電池パネルの裏面を支持するようにして構成されている。
【００１６】
上記の太陽電池モジュールでは、補強枠部材と交差して副枠部材間に架設されると共に補強枠部材の底面を下方から当接して補強枠部材を支持する補強枠支持部材を備えていることを特徴としている。
【００１７】
上記の太陽電池モジュールによれば、補強枠支持部材は、該補強枠支持部材の主軸と補強枠部材の主軸とが立体交差するようにして架設されている。そのため、補強枠部材に対する変更や改造を伴うことなく、補強枠支持部材を補強枠部材と交差させて、副枠部材間に架設することができる。
【００１８】
それ故、上記の補強枠部材を備えた太陽電池モジュールにおいて、その構造に対する大幅な変更や改造を伴うことなく、補強枠支持部材を太陽電池モジュールに取付けることができる。
【００１９】
従って、補強枠部材を備えた太陽電池モジュールを、その構造に対する大幅な変更や改造を伴うことなく用いてその強度の強化を図ることができ、制作や現場における施工を容易にすることができると共に、制作期間、或いは、施工期間の増加やコスト増加等を抑制することができる。
【００２０】
また、本発明の太陽電池モジュール用架台は、一対の主辺、及び、該主辺に隣接する一対の副辺を備えた矩形状の太陽電池パネル、一対の主枠部材、一対の副枠部材、及び、補強枠部材で構成される太陽電池モジュールに使用される太陽電池モジュール用架台である。
【００２１】
上記の太陽電池モジュール用架台が使用される太陽電池モジュールは、一対の主辺、及び、該主辺に隣接する一対の副辺を備えた矩形状の太陽電池パネル、一対の主枠部材、一対の副枠部材、及び、補強枠部材で、構成される太陽電池モジュールである。
【００２２】
この内、主枠部材は、断面がコ字形で該コ字形の内部に太陽電池パネルの主辺を挟持して太陽電池パネルを保持する主保持部、該主保持部の下に下方に向かって連設された主壁部、及び、該主壁部の下部の内側に、内方向に向かって張設された主底部片を備えて構成されている。
【００２３】
副枠部材は、断面がコ字形で該コ字形の内部に太陽電池パネルの副辺を挟持して太陽電池パネルを保持する副保持部、該副保持部の下に下方に向かって連設された副壁部、及び、該副壁部の下部の内側に、内方向に向かって張設された副底部片を備えて構成されている。
【００２４】
補強枠部材は、主枠部材間に架設されると共に、太陽電池パネルの裏面を支持するようにして構成されている。
【００２５】
上記の太陽電池モジュール用架台では、この太陽電池モジュール用架台である補強枠支持部材は、補強枠部材と交差して副枠部材間に架設されると共に、補強枠部材の底面を下方から当接して補強枠部材を支持する補強枠支持部材で構成されていることを特徴としている。
【００２６】
上記の太陽電池モジュール用架台によれば、この太陽電池モジュール用架台である補強枠支持部材は、該補強枠支持部材の主軸と補強枠部材の主軸とが立体交差するようにして架設されている。そのため、補強枠部材に対する変更や改造を伴うことなく、上記の太陽電池モジュール用架台である補強枠支持部材を、補強枠部材と交差させて、副枠部材間に架設することができる。
【００２７】
それ故、上記の補強枠部材を備えた太陽電池モジュールに対して、その構造に対する大幅な変更や改造を伴うことなく、太陽電池モジュール用架台である補強枠支持部材を、太陽電池モジュールに取付けることができる。
【００２８】
従って、補強枠部材を備えた太陽電池モジュールを、その構造に対する大幅な変更や改造を伴うことなく用いてその強度の強化を図ることができ、制作や現場における施工を容易にすることができると共に、制作期間、或いは、施工期間の増加やコスト増加等を抑制することができる。
【００２９】
上記の太陽電池モジュール、又は、上記の太陽電池モジュール用架台において、上記の補強枠部材と上記の補強枠支持部材とが交差する該補強枠支持部材の部分に、補強枠部材の底面を下方から跨ぐ凹部を形成する。そして、該凹部の底面が補強枠部材に当接して補強枠部材を支持するようにする。この場合に、該補強枠支持部材の凹部の幅が、該補強枠支持部材と交差する補強枠部材の該交差する部分における幅よりも広くなるように形成するのが好適である。
【００３０】
このようにすることにより、補強枠支持部材を、補強枠部材と交差させて、副枠部材間に架設する際に、補強枠支持部材を、直角よりも小さい角度で、補強枠部材と交差させることができる。
【００３１】
そのため、補強枠支持部材を、容易に補強枠部材と交差させることができるので、制作や現場における施工を容易にすることができる。従って、制作期間、或いは、施工期間の増加やコスト増加等を抑制することができる。
【００３２】
又、上記の太陽電池モジュール、又は、上記の太陽電池モジュール用架台において、補強枠支持部材を、該補強枠支持部材の端部の下面が、副枠部材の副底部片の上面に当接して副枠部材に固定するのが好適である。
【００３３】
このようにすることにより、副枠部材は、この副枠部材の副底部片が、補強枠支持部材によって上から押さえられるようにして、補強枠支持部材に固定される。従って、一対の副枠部材間の距離が固定され、太陽電池パネルが外れやすくなるのを防止することができる。
【００３４】
又、このようにすることにより、副枠部材は、この副枠部材の副底部片が、補強枠支持部材によって上方から押さえられるようにして、補強枠支持部材に固定される。このように、副底部片の上面に、補強枠支持部材を当接して固定することによって、主枠部材に固定された補強枠部材を裏面側から支持する該補強枠支持部材が、下方に外れやすくなるのを防止することができる。
【００３５】
又、上記の太陽電池モジュール、又は、上記の太陽電池モジュール用架台において、補強枠支持部材を、該補強枠支持部材の上面が、太陽電池パネルの裏面と対面すると共に、該補強枠支持部材の上面と太陽電池パネルの裏面との間に、隙間が存在するように形成するのが好適である。
【００３６】
このように、補強枠支持部材の上面と太陽電池パネルの裏面との間に、隙間があるようにすることで、補強枠支持部材を補強枠部材と交差させて副枠部材間に架設する作業を、容易に、且つ、太陽電池パネルの裏面に傷をつけることなく行うことができる。
【００３７】
即ち、補強枠支持部材を副枠部材間に架設する際に、上述したように、直角よりも小さい角度で、補強枠部材と交差させた補強枠支持部材を、この交差角度が直角になるように、補強枠支持部材を回動させて副枠部材間に架設するために行うこの回動を、補強枠支持部材の上面と太陽電池パネルの裏面との間に隙間があることで、補強枠支持部材が太陽電池パネルの裏面に触れることなく行うことができる。従って、補強枠支持部材を補強枠部材と交差させて副枠部材間に架設する作業を、容易に、且つ、太陽電池パネルの裏面に傷をつけることなく行うことができる。
【００３８】
又、上記の太陽電池モジュール、又は、上記の太陽電池モジュール用架台において、補強枠支持部材を、該補強枠支持部材の剛性が、補強枠部材の剛性よりも高くなるように形成するのが好適である。
【００３９】
例えば、太陽電池モジュールは、運搬する際の運搬コストや設置する際の設置場所における支持荷重の軽減等の観点から、できるだけ軽量化することが望ましい。そのため、太陽電池モジュールでは、一般に、主枠部材、副枠部材、及び、補強枠部材等が、アルミ等の軽量素材で形成される。
【００４０】
このアルミ等の軽量素材で形成された主枠部材、副枠部材、及び、補強枠部材を用いた太陽電池モジュールを、積雪地帯で、例えば、副枠部材が軒側になるようにして、傾斜した屋根に設置した場合に、滑雪による雪が副枠部材を圧迫して、副枠部材の太陽電池パネルを挟持している部分が開き、太陽電池パネルが副枠部材から外れるという不具合が生じることがあった。
【００４１】
このような場合に、太陽電池モジュールとして、剛性が、補強枠部材の剛性よりも高くなるように形成された補強枠支持部材を備えた上記の太陽電池モジュールを用いると、次のような利点がある。
【００４２】
即ち、上記の太陽電池モジュールの補強枠支持部材が、太陽電池パネルの荷重を支持している補強枠部材を、この補強枠部と交差している部分で十分支持することができると共に、上記の補強枠支持部材が、一対の副枠部材間に架設されており、一対の副枠部材の相互間の距離を一定に保持することができることから、副枠部材の太陽電池パネルを挟持している部分が開くのを、抑制することができる。
【００４３】
又、補強枠支持部材を、該補強枠支持部材の剛性が、補強枠部材の剛性よりも高くなるように形成することで、次のような利点もある。即ち、例えば、積雪等により、補強枠部材が幾分か撓む事態となっても、補強枠支持部材が補強枠部材を支持するので、補強枠部材自体の撓みを抑制することができる。そのため、補強枠部材が撓むような状態においても、太陽電池パネルの破損を防止することができる。又、想定外の荷重が太陽電池パネルにかかった場合に、太陽電池パネルの裏面が撓んでも、この撓みを、補強枠支持部材の一部で支持するようにすることができる。
【００４４】
又、上記の太陽電池モジュール、又は、上記の太陽電池モジュール用架台において、補強枠部材を、主枠部材に、下方から嵌め込むようにするのが、好適である。
【００４５】
このようにすることで、補強枠部材の上面と太陽電池パネルの裏面が接着剤等で固定すことが容易となり、上方に太陽電池パネルが外れることを防止しつつ、補強枠支持部材が下方から補強枠部材を支持することにより、下方に太陽電池パネルが外れることをも防止でき、バランスよく太陽電池パネルを保持することが可能となる。
【００４６】
補強枠部材を、主枠部材に、下方から嵌め込むようにする方法としては、例えば、まず、補強枠部材を、板状の上部片、及び、下部片と、該上部片と該下部片とを連結する壁片とで構成する。
【００４７】
そして、この補強枠部材における、主枠部材と近接する上部片の端部の端縁を含む領域を、該端縁から壁片に沿って削除する。この削除する幅については、補強枠部材を下方から嵌め込む場合に、主枠部材の主底部片と重ならないような幅とする。例えば、補強枠部材端部が主枠部材の内側に接する場合においては、主枠部材の主底部片の張設幅以上長い距離分削除すれば、補強枠部材の上部片を、前記主枠部材の主底部片と重ならないようにすることができる。
【００４８】
そして、次に、主枠部材の主底部片に、該主底部片の先端から外方向に向かってスリットを形成する。その上で、補強枠部材の壁片を、主枠部材の主底部片のスリットに下方から嵌入して、主枠部材と近接する下部片の端部の上面を、主枠部材の主底部片の下面に当接して、補強枠部材を主枠部材に固定する。さらに、補強枠部材の上部片を、太陽電池パネルの裏面に接着するのである。
【００４９】
従来の太陽電池モジュールでは、補強枠部材は、一般に、主枠部材の主底部片の上面と、太陽電池パネルの裏面との間に装着されていた。この補強枠部材の装着作業では、補強枠部材の両端を、共に、一対の主枠部材の双方に対して主枠部材の主底部片の上面と、太陽電池パネルの裏面との間に、挿入する必要があり、この際に、補強枠部材の上面が太陽電池パネルの裏面に触れた状態で補強枠部材を動かす必要があることから、太陽電池パネルの裏面に傷がつくという不具合が生じることがあった。
【００５０】
しかし、上述した補強枠部材を用いた本発明の太陽電池モジュールでは、補強枠部材の壁片を、主枠部材の主底部片のスリットに下方から嵌入して、主枠部材と近接する下部片の端部の上面を、主枠部材の主底部片の下面に当接して、補強枠部材を主枠部材に固定するので、主枠部材の主底部片に対する補強枠部材の位置決め、及び、固定作業が容易である。しかも、作業の際に、補強枠部材の上面が太陽電池パネルの裏面に触れた状態で補強枠部材を動かす必要はなく、太陽電池パネルの裏面に傷がつくのを、防止することができる。
【発明の効果】
【００５１】
本発明によれば、補強枠支持部材は、該補強枠支持部材の主軸と補強枠部材の主軸とが立体交差するようにして架設されている。そのため、補強枠部材に対する変更や改造を伴うことなく強度を維持した状態で、補強枠支持部材を補強枠部材と交差させて、副枠部材間に架設することができる。
【００５２】
それ故、上記の補強枠部材を備えた太陽電池モジュールにおいて、その構造に対する大幅な変更や改造を伴うことなく、補強枠支持部材を太陽電池モジュールに取付けることができる。
【００５３】
従って、補強枠部材を備えた太陽電池モジュールを、その構造に対する大幅な変更や改造を伴うことなく用いてその強度の強化を図ることができ、制作や現場における施工を容易にすることができると共に、制作期間、或いは、施工期間の増加やコスト増加等を抑制することができる。
【図面の簡単な説明】
【００５４】
【図１】本実施の形態における太陽電池モジュールの平面図である。
【図２】本実施の形態における太陽電池モジュールの正面図である。
【図３】本実施の形態における太陽電池モジュールの側面図である。
【図４】本実施の形態における太陽電池モジュールの底面図である。
【図５】本実施の形態における太陽電池モジュールの枠部材を内側から見た部分斜視    図である。
【図６】本実施の形態における太陽電池モジュールの補強枠部材の外観を示した斜視    図である。
【図７】本実施の形態における太陽電池モジュールの補強枠部材が架設される主枠部    材の部分の構造を示した斜視図である。
【図８】本実施の形態における太陽電池モジュールの補強枠部材を主枠部材に架設す    る途中の状態を示した斜視図である。
【図９】本実施の形態における太陽電池モジュールの補強枠部材が主枠部材に架設さ    れた状態を示した斜視図である。
【図１０】本実施の形態における太陽電池モジュールの補強枠支持部材の外観を示し    た斜視図である。
【図１１】本実施の形態における太陽電池モジュールの補強枠支持部材が補強枠部材    を跨いでいる状態を示した斜視図である。
【図１２】本実施の形態における太陽電池モジュールの補強枠支持部材が架設されて    固定される副枠部材の部分の構造を示した斜視図である。
【図１３】本実施の形態における太陽電池モジュールの補強枠支持部材を副枠部材に    架設する方法を示した太陽電池モジュールの底面図である。
【図１４】本実施の形態における太陽電池モジュールの補強枠支持部材を副枠部材に    架設する途中の状態を示した斜視図（その１）である。
【図１５】本実施の形態における太陽電池モジュールの補強枠支持部材を副枠部材に    架設する途中の状態を示した斜視図（その２）である。
【図１６】本実施の形態における太陽電池モジュールにおける他の例の補強枠部材を    主枠部材に架設する途中の状態を示した斜視図である。
【発明を実施するための形態】
【００５５】
次に、本発明の実施の形態における太陽電池モジュールについて、図面を参照しながら説明する。図１は、本実施の形態における太陽電池モジュール１の平面図、図２は、正面図、図３は、側面図、図４は、底面図、そして、図５は、太陽電池モジュール１の枠部材を内側から見た部分斜視図である。尚、図５では太陽電池パネル２は、省略されている。
【００５６】
本実施の形態における太陽電池モジュール１は、図１〜図５に示すように、主として、矩形状の太陽電池パネル２と、枠部材である一対の主枠部材１０，１０、及び、一対の副枠部材２０，２０とで構成されている。太陽電池パネル２は、外形が、およそ、１１５０ｍｍ×１０００ｍｍである。この太陽電池パネル２の裏面には、図１、図４に示すように、太陽電池パネル２からの出力を取り出す出力端子ボックス３が備えられている。
【００５７】
この太陽電池パネル２は、この太陽電池パネル２の主辺を保持する一対の主枠部材１０，１０と、この主辺と隣接する副辺を保持する一対の副枠部材２０，２０により、保持されている。
【００５８】
上記の太陽電池モジュール１は、運搬する際の運搬コストや設置する際の設置場所における支持荷重の軽減等の観点から、できるだけ軽量化することが望ましい。そのため、上記の太陽電池モジュール１は、アルミ等の軽量素材で形成されるのが好ましく、上記の主枠部材１０，１０、及び、副枠部材２０，２０は、後述する補強枠部材等も含めて、アルミで形成されている。
【００５９】
上記の主枠部材１０は、図５等に示すように、主外壁１１、主保持上片１２、主保持下片１３、主底辺片１４、主内壁１５、及び、主底部片１６で構成されている。この内、主外壁１１は、太陽電池パネル２の主辺に沿って形成されている。主保持上片１２、及び、主保持下片１３は、主外壁１１の上部の内側に、上下に、共に略同じ長さで内側に張出して設けられ、相互間に太陽電池パネル２を嵌め込んで保持している。この太陽電池パネル２を嵌め込んで保持している主外壁１１、主保持上片１２、及び、主保持下片１３で構成される部分が、前述の主保持部に相当する。
【００６０】
上記の主底辺片１４は、主外壁１１の下端の内側に、該主外壁１１に沿って内側に張出して形成されている。主内壁１５は、主底辺片１４の先端と上記の主保持下片１３の先端とを結んで形成されている。そして、主底部片１６は、主内壁１５の下部の内側に、主内壁１５に沿って内側に張出して形成されている。又、主枠部材１０には、図５等に示すように、主外壁１１、主保持下片１３、主内壁１５、及び、主底辺片１４で囲まれる主内部空間１７が形成されている。この、主外壁１１、主保持下片１３、主内壁１５、及び、主底辺片１４で構成される部分が、前述の主壁部に相当する。
【００６１】
上記の副枠部材２０は、図５等に示すように、副外壁２１、副保持上片２２、副保持下片２３、副底辺片２４、副内壁２５、及び、副底部片２６で構成されている。この内、副外壁２１は、太陽電池パネル２の副辺に沿って形成されている。副保持上片２２、及び、副保持下片２３は、副外壁２１の上部の内側に、上下に、共に略同じ長さで内側に張出して設けられ、相互間に太陽電池パネル２を嵌め込んで保持している。この太陽電池パネル２を嵌め込んで保持している副外壁２１、副保持上片２２、及び、副保持下片２３で構成される部分が、前述の副保持部に相当する。
【００６２】
上記の副底辺片２４は、副外壁２１の下端の内側に、該副外壁２１に沿って内側に張出して形成されている。副内壁２５は、副底辺片２４の先端と副保持下片２３の先端とを結んで形成されている。そして、副底部片２６は、副内壁２５の下部の内側に、副内壁２５に沿って内側に張出して形成されている。又、副枠部材２０には、図５等に示すように、副外壁２１、副保持下片２３、副内壁２５、及び、副底辺片２４で囲まれる副内部空間２７が形成されている。この、副外壁２１、副保持下片２３、副内壁２５、及び、副底辺片２４で構成される部分が、前述の副壁部に相当する。
【００６３】
上記の副枠部材２０では、図５に示すように、副枠部材２０の副外壁２１の端部における副保持上片２２、副保持下片２３、副底辺片２４、副内壁２５、及び、副底部片２６が、副外壁２１の端縁から、主枠部材１０の主保持上片１２、主保持下片１３、及び、主底辺片１４の張出し長さと同じ幅だけ削除されて、副外壁２１の端部に、平坦な副外壁端部２８が形成されている。
【００６４】
そして、該副外壁端部２８の内側面に、主枠部材１０の端部の端面を当接させると共に、太陽電池モジュール１の副枠部材２０と主枠部材１０とを、ビス受け１９を用いてビスにより結合している。
【００６５】
又、主枠部材１０の主底部片１６と、副枠部材２０の副底部片２６とは、相互に衝突しないように、図５に示すように、副枠部材２０の副底部片２６の端部が削除されている。
【００６６】
又、上記の主枠部材１０では、図５等に示すように、副枠部材２０の副内部空間２７の開口部が当接する部分を含む主枠部材１０の主内壁１５で、主底部片１６の張出位置より上方の位置に、主内壁１５の長手方向に沿ってこの主内壁１５の全体に、この主内壁１５の一部が主内部空間１７側に後退した主内壁後退部１８が形成されている。そして、この主内壁後退部１８と副内部空間２７の開口部との間には、図５に示すように、空隙２９が形成され、この空隙２９を介して副内部空間２７が外部と連通している。
【００６７】
上記の本実施の形態における太陽電池モジュール１は、図１、図４に示すように、太陽電池モジュール１の構造に対する強度の強化を図るために、太陽電池パネル２の裏面側の主枠部材１０間に、補強枠部材３０が架設されると共に、この補強枠部材３０が架設された太陽電池モジュール１に対して、さらに、太陽電池パネル２の裏面側の副枠部材２０間に、補強枠支持部材４０が、架設された太陽電池モジュールである。
【００６８】
この内、補強枠部材３０は、太陽電池パネル２の荷重を支持する役割を担っている。又、補強枠支持部材４０は、補強枠部材３０を支持する役割を担っている。次に、これらの補強枠部材３０、及び、補強枠支持部材４０について説明する。
【００６９】
まず、補強枠部材３０について説明する。図６は、補強枠部材３０の外観を示した斜視図、図７は、補強枠部材３０が架設される主枠部材１０の部分の構造を示した斜視図、図８は、補強枠部材３０を主枠部材１０に架設する途中の状態を示した斜視図、そして、図９は、補強枠部材３０が主枠部材１０に架設された状態を示した斜視図である。尚、これらの図６〜図９は、全て、上下を逆にして表示されている。即ち、図６〜図９は、補強枠部材３０、及び、主枠部材１０を、下面側から見た状態を示している。
【００７０】
補強枠部材３０は、図６に示すように、板状の上部片（上フランジ）３１、及び、下部片（下フランジ）３３と、これらの上部片３１と下部片３３とを連結する壁片（ウエブ）３２とで構成されており、一種のＨ形鋼の形状をしている。この補強枠部材３０は、アルミで形成されている。
【００７１】
この補強枠部材３０では、該上部片３１、及び、該下部片３３は、壁片３２を中心にして該壁片３２に直角に左右に張出している。図６に示すように、その張出し長さは、該上部片３１と、該下部片３３とは、同じであるものの、共に、左右の張出し長さは同じではなく偏っているが、左右の張出し長さは同じとしてもよい。
【００７２】
補強枠部材３０の底面の表面には、補強枠部材３０の強度を向上するために、凹凸が形成されているが、この内の一部の底面の表面には、凹凸は形成されておらず、凹の状態で平である。この部分に、主枠部材１０に架設の際固定するビス穴３９，３９が設けられている。
【００７３】
補強枠部材３０では、図６に示すように、補強枠部材３０の上部片３１の端部の端縁を含む領域が、該端縁から壁片３２に沿って、主枠部材１０の主底部片１６の張設幅以上の長さの距離ｄだけ、削除されている。
【００７４】
この補強枠部材３０を主枠部材１０に架設するために、図７に示すように、主枠部材１０の主底部片１６には、この主底部片１６の先端から外方向に向かってスリット１６ａが形成されている。又、補強枠部材３０を固定するためのビス穴１６ｂが、主枠部材１０の主底部片１６に設けられている。又、主枠部材１０の主底部片１６の下面には、段部１６ｃが形成されている。
【００７５】
上記の補強枠部材３０は、次のようにして、主枠部材１０間に架設される。即ち、図８、図９において、補強枠部材３０は、補強枠部材３０の上部片３１の両端部の端縁を含む領域が、該端縁から壁片３２に沿って、主枠部材１０の主底部片１６の張設幅以上の長さの距離ｄだけ、削除されているので、補強枠部材３０の壁片３２の両端部の上端は、むき出しになっている。
【００７６】
そこで、この補強枠部材３０の壁片３２の両端部の上端を、主枠部材１０の主底部片１６のスリット１６ａに下方から嵌入して、主枠部材１０と近接する下部片３３の端部の上面を、主枠部材１０の主底部片１６の下面に当接する。この際に、主枠部材１０の主底部片１６の下面に形成されている段部１６ｃに、補強枠部材３０の壁片３２の両端部の端面を当接させることによって、補強枠部材３０の主枠部材１０の主底部片１６に対する位置決めを、容易に行うことができる。
【００７７】
上記のようにして補強枠部材３０の壁片３２を、主枠部材１０の主底部片１６のスリット１６ａに嵌入した状態で、ビス７を用いて、補強枠部材３０のビス穴３９と主枠部材１０のビス穴１６ｂとを介して、補強枠部材３０を主枠部材１０に固定する。又、この補強枠部材３０の上部片３１の上面に、予め接着剤を塗布しておくことにより、補強枠部材３０を主枠部材１０に固定するのと同時に、補強枠部材３０を太陽電池パネルの裏面に接着する。
【００７８】
この際、補強枠部材３０の固定用のビス穴３９，３９は、補強枠部材３０の下部片３３の凹部で平な状態の部分に形成されているので、固定に際し、ビス７の頭は、補強枠部材３０の下部片３３の凸部よりも下には突出しないようにすることができる。そのため、太陽電池モジュール１の運搬や設置の際等に、引っかかりの原因となりやすい突起部の存在をなくすることができる。
【００７９】
上記の太陽電池モジュール１では、上記の補強枠部材３０を用いることにより、次のような利点がある。即ち、従来の太陽電池モジュールでは、補強枠部材は、一般に、例えば、上記の太陽電池モジュール１におけるような場合、主枠部材１０の主底部片１６の上面と、太陽電池パネル２の裏面との間に装着されていた。
【００８０】
この補強枠部材の装着作業では、補強枠部材の両端を、共に、一対の主枠部材１０の双方に対して主枠部材１０の主底部片１６の上面と、太陽電池パネル２の裏面との間に、挿入する必要があり、この際に、補強枠部材の上面が太陽電池パネル２の裏面に触れた状態で補強枠部材を動かす必要があることから、太陽電池パネル２の裏面に傷がつくという不具合が生じることがあった。
【００８１】
しかし、上述した補強枠部材３０を用いた上記の太陽電池モジュール１では、補強枠部材３０の壁片３２を、主枠部材１０の主底部片１６のスリット１６ａに、下方から嵌入して、主枠部材１０と近接する下部片３３の端部の上面を、主枠部材１０の主底部片１６の下面に当接して、補強枠部材３０を主枠部材１０に固定するので、主枠部材１０の主底部片１６に対する補強枠部材３０の位置決め、及び、固定作業が容易である。しかも、作業の際に、補強枠部材３０の上面が太陽電池パネル２の裏面に触れた状態で補強枠部材３０を動かす必要はなく、太陽電池パネル２の裏面に傷がつくのを、防止することができるのである。
【００８２】
上記の太陽電池モジュール１では、補強枠部材３０を主枠部材１０の主底部片１６に固定するのに、補強枠部材３０の片側端に付、ビス７を１個用いているが、２個以上としてもよい。又、固定の方法としては、溶接や接着剤を用いてもよい。
【００８３】
又、上記の太陽電池モジュール１では、補強枠部材３０として、一種のＨ形鋼の形状をした補強枠部材３０を用いているが、Ｉ形鋼の形状をした補強枠部材３０を用いてもよい。或いは、図１６に示すように、上部片５１、壁片５２，５２、及び、下部片５３で構成される断面がロ字形のパイプ状の補強枠部材５０を用いてもよい。
【００８４】
この図１６に示すような、断面がロ字形のパイプ状の補強枠部材５０を用いる場合は、例えば、上部片５１の両端部、及び、壁片５２，５２の両端部の上端部付近の端縁を含む領域が、該端縁から壁片５２に沿って、主枠部材１０の主底部片１６の張設幅以上の長さの距離ｄだけ、削除する。
【００８５】
又、補強枠部材５０の底面の表面には、補強枠部材３０と同様、強度を向上するために、凹凸を形成すると共に、この部分に、片端側当り、主枠部材１０に架設の際固定する２個、両端で合計４個のビス穴５９を設ける。
【００８６】
又、主枠部材１０の主底部片１６には、図１６に示すように、この主底部片１６の先端から外方向に向かって、壁片５２，５２の両端部の上端部が嵌入可能な２個のスリット１６ａ，１６ａを形成する。又、補強枠部材３０を固定するための２個のビス穴１６ｂ，１６ｂを、主枠部材１０の主底部片１６に設ける。又、主枠部材１０の主底部片１６の下面には、段部１６ｃを形成する。
【００８７】
上記のようにして形成された補強枠部材５０を、図１６に示すように、上述した補強枠部材３０と同様の方法で、補強枠部材５０の両端部を主枠部材１０の主底部片１６にビス７を用いて固定することにより、主枠部材１０間に、補強枠部材５０を架設するのである。
【００８８】
次に、補強枠支持部材４０について説明する。補強枠支持部材４０は、上述したように、補強枠部材３０を備えた太陽電池モジュール１に装着される。即ち、補強枠支持部材４０は、補強枠部材３０を備えた太陽電池モジュール１に対して、補強枠部材３０を下方から跨いで副枠部材２０間に架設され、補強枠部材３０を支持する役割を担っている。
【００８９】
図１０は、補強枠支持部材４０の外観を示した斜視図、図１１は、補強枠支持部材４０が補強枠部材３０を跨いでいる状態を示した斜視図、図１２は、補強枠支持部材４０が架設されて固定される副枠部材２０の部分の構造を示した斜視図、図１３は、補強枠支持部材４０を副枠部材２０に架設する方法を示した太陽電池モジュール１の底面図、そして、図１４、及び、図１５は、補強枠支持部材４０を副枠部材２０に架設する途中の状態を示した斜視図である。尚、これらの図１０〜図１５は、全て、上下を逆にして表示されている。即ち、図１０〜図１５は、補強枠支持部材４０、及び、副枠部材２０を、下面側から見た状態を示している。
【００９０】
補強枠支持部材４０は、図１０に示すように、断面がコ字形の溝形鋼の形状である脚部４３と、この脚部４３の上部の平板の長手方向に沿った端部から、上方に延設された壁部４２と、この壁部４２の上端から、脚部４３の屈曲方向と同じ方向で横方向へ直角に張出して形成された天板部４１と、で構成されている。この補強枠支持部材４０は、上述した補強枠部材３０と同様、アルミで形成されている。
【００９１】
しかし、補強枠支持部材４０を鋼板で形成するようにしてもよい。このように、補強枠部材３０がアルミで形成され、補強枠支持部材４０が鋼板で形成されている場合は、補強枠支持部材４０は、該補強枠支持部材の剛性を、補強枠部材の剛性よりも高くすることができる。
【００９２】
補強枠支持部材４０の壁部４２の中央部には、図１０に示すように、凹形をしており、この凹形の底部が、脚部４３の上面で形成されている股部４５が形成されている。この股部４５は、上述したように、補強枠部材３０を跨ぐための部分であり、補強枠支持部材４０が、補強枠部材３０を下方から跨いだときに、この股部４５の底部が、補強枠部材３０の下部片３３の下面に接して、補強枠支持部材４０が補強枠部材３０を支持するようになっている。
【００９３】
この股部４５の幅ｗは、補強枠支持部材４０を太陽電池モジュール１の副枠部材２０間に架設する際に、架設作業が容易になるようにするために、補強枠部材３０の幅よりも広くなるように形成されている。又、同様の理由で、補強枠支持部材４０の壁部４２の高さは、この補強枠支持部材４０が跨ぐ補強枠部材３０の高さよりも多少低くなるように、形成されている。この補強枠支持部材４０の壁部４２の高さと補強枠部材３０の高さとの差としては、例えば、３ｍｍ程度とする。
【００９４】
又、股部４５は、股部４５を挟んだ壁部４２の両端の長さが、脚部４３の長さよりも長くなるように形成されている。従って、壁部４２の両端部には、図１０に示すように、脚部４３は形成されておらず、補強枠支持部材４０を副枠部材２０に固定する固定片４４が、脚部４３に代わって、形成されている。
【００９５】
この固定片４４が形成されている壁部４２の両端部の下端は、壁部４２が脚部４３から上方へ向かって延設される位置よりも太陽電池パネル側である上方に位置している。即ち、壁部４２の両端部における上端から下端までの壁部４２の高さは、壁部４２の両端部以外の壁部４２における上端から下端までの壁部４２の高さよりも低く形成されている。
【００９６】
上記の固定片４４は、壁部４２の両端部の上記の下端から、脚部４３の屈曲方向と同じ方向で横方向へ直角に張出して形成されている。又、この固定片４４は、補強枠支持部材４０を副枠部材２０に固定するのに用いられるビス穴４９が設けられている。
【００９７】
上記の補強枠支持部材４０は、次のようにして、太陽電池モジュール１の副枠部材２０間に架設される。即ち、上述したように、補強枠支持部材４０の股部４５の幅ｗは、補強枠部材３０の幅よりも広くなるように、形成されている。そのため、補強枠支持部材４０は、この補強枠支持部材４０が、補強枠部材３０に対して斜めになった状態でも、補強枠部材３０を下方から跨ぐことができる。
【００９８】
それ故、図１３、図１４に示すように、上述した補強枠部材３０が主枠部材１０間に架設されている太陽電池モジュール１に対して、出力端子ボックス３を避けるようにしながら、補強枠支持部材４０を補強枠部材３０に対して斜めにして、補強枠支持部材４０の天板部４１を太陽電池パネル２の裏面と対面させると共に、補強枠支持部材４０の股部４５が補強枠部材３０の中央部分を下方から跨ぐようにして、太陽電池モジュール１の裏面に挿入することができる。
【００９９】
そこで、上記のようにして、補強枠支持部材４０の天板部４１を太陽電池パネル２の裏面と対面させると共に、補強枠部材３０を下方から跨いで、補強枠支持部材４０を太陽電池モジュール１の裏面に挿入する。
【０１００】
このようにして太陽電池モジュール１の裏面に挿入された補強枠支持部材４０を、補強枠支持部材４０の股部４５を回転の支点として、図１３、図１４、及び、図１５の矢印で示すように回転させる。上述したように、補強枠支持部材４０の壁部４２の高さは、この補強枠支持部材４０が跨ぐ補強枠部材３０の高さよりも多少低くなるように、形成されている。
【０１０１】
そこで、補強枠支持部材４０を、この補強枠支持部材４０の股部４５を回転の支点として、回転させる際に、補強枠支持部材４０の天板部４１と太陽電池パネル２の裏面との間には、図１２に示すように、隙間４８が形成される。そのため、補強枠支持部材４０をスムースに回転させることができると共に、太陽電池パネル２の裏面に、補強枠支持部材４０の天板部４１による引っかき跡等の傷がつくのを、防止することができる。
【０１０２】
上記のようにして、補強枠支持部材４０を回転させることで、補強枠支持部材４０の両端部が、太陽電池モジュール１の副枠部材２０の副底部片２６と、太陽電池パネル２の裏面との間に挿入されるようにすると共に、図１１に示すように、補強枠支持部材４０を補強枠部材３０と直角に交差させる。
【０１０３】
そうすると、図１２に示すように、補強枠支持部材４０の固定片４４の下面が、副枠部材２０の副底部片２６の上面と重なる状態となる。そこで、ビス８を用いて、ビス穴２６ａ、及び、ビス穴４９を介して、補強枠支持部材４０を副枠部材２０へ固定する。
【０１０４】
この補強枠支持部材４０を副枠部材２０へ固定する方法として、上記の方法では、ビス８を１個用いているが、２個以上用いるようにしてもよい。或いは、補強枠支持部材４０を副枠部材２０へ固定する方法として、溶接や接着剤を用いるようにしてもよい。
【０１０５】
上記の太陽電池モジュール１では、補強枠支持部材４０を太陽電池モジュール１の裏面に挿入して副枠部材２０間に架設する際に、出力端子ボックス３を避けた位置に架設している。しかし、出力端子ボックス３が、太陽電池パネル２の厚さ内に収まる場合は、この出力端子ボックス３を跨ぐようにして、補強枠支持部材４０を架設してもよい。
【０１０６】
又、上記の太陽電池モジュール１では、補強枠部材３０と補強枠支持部材４０とは、十字形となるように、太陽電池モジュール１に架設されているが、補強枠部材３０と補強枠支持部材４０との架設方法は、これには限られない。
【０１０７】
補強枠部材３０と補強枠支持部材４０との架設方法としては、補強枠支持部材４０が補強枠部材３０を跨ぐことにより、補強枠支持部材４０の股部４５の底部が、補強枠部材３０の下部片３３の下面に接して、補強枠支持部材４０が補強枠部材３０を支持できる構造となるような方法であれば、どのような方法でもよい。そこで、例えば、補強枠部材３０と補強枠支持部材４０とが、Ｘ字形状や、＃形状に架設されるようにしてもよい。
【０１０８】
上記の太陽電池モジュール１によれば、補強枠支持部材４０に、補強枠部材３０と交差する部分に、補強枠部材の底面を下方から跨ぐ凹形の股部４５が形成されている。そのため、補強枠部材３０に対する変更や改造を伴うことなく、補強枠支持部材４０を補強枠部材３０と交差させて、副枠部材２０間に架設することができる。
【０１０９】
それ故、補強枠部材３０を備えた太陽電池モジュール１において、その構造に対する大幅な変更や改造を伴うことなく、補強枠支持部材４０を太陽電池モジュール１に１取付けることができる。
【０１１０】
従って、補強枠部材３０を備えた太陽電池モジュール１を、その構造に対する大幅な変更や改造を伴うことなく用いてその強度の強化を図ることができ、制作を容易にすることができると共に、制作期間の増加やコスト増加等を抑制することができる。
【０１１１】
又、上記の太陽電池モジュール１では、補強枠支持部材４０を、この補強枠支持部材４０の股部４５の幅が、この補強枠支持部材４０と交差する補強枠部材３０の該交差する部分における幅よりも広くなるように形成されている。
【０１１２】
そのため、補強枠支持部材４０を、補強枠部材３０と交差させて、副枠部材２０間に架設する際に、補強枠支持部材４０を、直角よりも小さい角度で、補強枠部材３０と交差させることができる。
【０１１３】
そのため、補強枠支持部材４０を、容易に補強枠部材３０と交差させることができるので、太陽電池モジュール１の制作を容易にすることができる。従って、制作期間の増加やコスト増加等を抑制することができる。
【０１１４】
又、上記の太陽電池モジュール１では、補強枠支持部材４０の天板部４１の上面と太陽電池パネル２の裏面との間に、隙間４８が形成されるので、補強枠支持部材４０を補強枠部材３０と交差させて副枠部材２０間に架設する作業を、容易に、且つ、太陽電池パネル２の裏面に傷をつけることなく行うことができる。
【０１１５】
上述した本実施の形態における太陽電池モジュール１は、太陽電池モジュール１の構造に対する強度の強化を図るために、太陽電池パネル２の裏面側の主枠部材１０間に、補強枠部材３０が架設されると共に、この補強枠部材３０が架設された太陽電池モジュール１に対して、さらに、太陽電池パネル２の裏面側の副枠部材２０間に、補強枠支持部材４０が、架設された太陽電池モジュールである。
【０１１６】
即ち、上記の補強枠部材３０、及び、補強枠支持部材４０を共に備えた太陽電池モジュール１は、積雪地帯における使用等に十分耐えるようにするべく、太陽電池モジュール１の構造に対する強度の強化を図ったものである。
【０１１７】
そこで、太陽電池モジュール１が設置される環境によっては、太陽電池モジュールとして、補強枠部材３０のみで、補強枠支持部材４０を備えていない太陽電池モジュールでも、十分使用可能であることから、補強枠部材３０のみで、補強枠支持部材４０を備えていない太陽電池モジュールも、太陽電池モジュールの完成品として使用することができる。
【０１１８】
このように、補強枠部材３０のみで、補強枠支持部材４０を備えていない太陽電池モジュールの完成品を、積雪地帯におけるような太陽電池モジュールの構造に対する強度の強化を図る必要があるような使用環境下で使用する場合には、上述した補強枠支持部材４０を、太陽電池モジュールの設置場所における施工の際に、太陽電池モジュール用架台として用いることにより、太陽電池モジュールを積雪地帯における使用等に十分耐えるようにすることができる。
【０１１９】
このような場合には、補強枠支持部材４０は、太陽電池モジュール用架台として、太陽電池モジュールとは別体で製作、運搬が可能であることから、上述したように、アルミではなく、鋼板で形成するようにするのが、補強枠支持部材４０の強度の点で好適である。
【０１２０】
上記の太陽電池モジュール用架台によれば、この太陽電池モジュール用架台である補強枠支持部材４０には、補強枠部材３０の底面を下方から跨ぐ凹形の股部４５が形成されている。そのため、補強枠部材３０に対する変更や改造を伴うことなく、上記の太陽電池モジュール用架台である補強枠支持部材４０を、補強枠部材３０と交差させて、副枠部材２０間に架設することができる。
【０１２１】
それ故、上記の補強枠部材３０のみを備えた太陽電池モジュールに対して、その構造に対する大幅な変更や改造を伴うことなく、太陽電池モジュール用架台である補強枠支持部材４０を、太陽電池モジュールに取付けることができる。
【０１２２】
従って、補強枠部材３０を備えた太陽電池モジュールを、その構造に対する大幅な改造を伴うことなく用いてその強度の強化を図ることができ、現場における施工を容易にすることができると共に、施工期間の増加や施工コスト増加等を抑制することができる。
【０１２３】
ところで、上述したように、アルミ製の補強枠部材３０と、鋼板製の補強枠支持部材４０を備えた太陽電池モジュールに対して、或いは、アルミ製の補強枠部材３０備えた太陽電池モジュールを、設置場所における施工の際に、太陽電池モジュール用架台として鋼板製の補強枠支持部材４０を用いて補強された太陽電池モジュールに対して、これらのいずれの場合においても、次のような作用、効果を奏することができる。
【０１２４】
即ち、例えば、アルミ等の軽量素材で形成された主枠部材、副枠部材、及び、補強枠部材を用いた太陽電池モジュールを、積雪地帯で、例えば、副枠部材が軒側になるようにして、傾斜した屋根に設置した場合に、滑雪による雪が副枠部材を圧迫して、副枠部材の太陽電池パネルを挟持している部分が開き、太陽電池パネルが副枠部材から外れるという不具合が生じることがある。
【０１２５】
このような場合に、太陽電池モジュールに、剛性が補強枠部材の剛性よりも高くなるように形成された補強枠支持部材を用いると、次のような利点がある。即ち、太陽電池モジュールの補強枠支持部材が、太陽電池パネルの荷重を支持している補強枠部材を、この補強枠部と交差している部分で十分支持することができる。のみならず、上記の補強枠支持部材が、一対の副枠部材間に架設されており、一対の副枠部材の相互間の距離を一定に保持することができることから、副枠部材の太陽電池パネルを挟持している部分が開くのを、抑制することができる。
【０１２６】
又、補強枠支持部材の剛性が、補強枠部材の剛性よりも高くなるように形成されていることで、例えば、積雪により、補強枠部材が撓む事態となっても、補強枠支持部材が撓むのを抑制することができる。そのため、補強枠部材が撓むような状態下で、太陽電池パネルの裏面が撓むのを抑制できない場合であっても、撓んだ太陽電池パネルの裏面が、撓んでいない補強枠支持部材で支持することができ、太陽電池パネルの破損を防止することができるのである。
【０１２７】
上述した本実施の形態の太陽電池モジュール１では、補強枠支持部材４０には、凹形の股部４５が形成されている。しかし、補強枠支持部材４０は、補強枠部材３０と交差して副枠部材間２０に架設されればよく、補強枠支持部材４０には、上記のような凹形の股部４５が必ずしも形成されていなくてもよい。即ち、補強枠支持部材４０は、この補強枠支持部材４０が補強枠部材３０と交差する部分で、この補強枠部材３０の底面を下方から当接してこの補強枠部材３０を支持する構造であればよく、上記のように、凹形の股部４５なしで形成するようにしてもよい。
【符号の説明】
【０１２８】
１  太陽電池モジュール
２  太陽電池パネル
３  出力端子ボックス
７  ビス
８  ビス
１０  主枠部材
１１  主外壁
１２  主保持上片
１３  主保持下片
１４  主底辺片
１５  主内壁
１６  主底部片
１６ａ  スリット
１６ｂ  ビス穴
１６ｃ  段部
１７  主内部空間
１８  主内壁後退部
１９  ビス受け
２０  副枠部材
２１  副外壁
２２  副保持上片
２３  副保持下片
２４  副底辺片
２５  副内壁
２６  副底部片
２６ａ  ビス穴
２７  副内部空間
２８  副外壁端部
２９  空隙
３０  補強枠部材
３１  上部片
３２  壁片
３３  下部片
３９  ビス穴
４０  補強枠支持部材
４１  天板部
４２  壁部
４３  脚部
４４  固定片
４５  股部
４８  隙間
４９  ビス穴
５１  上部片
５２  壁片
５３  下部片
５９  ビス穴
【図１】
2010283397.tif 000003
【図２】
2010283397.tif 000004
【図３】
2010283397.tif 000005
【図４】
2010283397.tif 000006
【図５】
2010283397.tif 000007
【図６】
2010283397.tif 000008
【図７】
2010283397.tif 000009
【図８】
2010283397.tif 000010
【図９】
2010283397.tif 000011
【図１０】
2010283397.tif 000012
【図１１】
2010283397.tif 000013
【図１２】
2010283397.tif 000014
【図１３】
2010283397.tif 000015
【図１４】
2010283397.tif 000016
【図１５】
2010283397.tif 000017
【図１６】
2010283397.tif 000018